(57)【要約】【課題】単純な形状で少ない種類の部品を用いた正十二面体スピーカボックスを提供する。【解決手段】平板材料からなり中央にスピーカ取付用穴１３とその周囲の４個のねじた貫通穴１５を有する第１のパーツ１Ａ〜１Ｃ、１Ｈ、１Ｉ、１Ｌと、正三角形の底面３１の各辺に設けた湾曲部３３１および４個の固定用ねじ穴３５とを設けた３個の接続肢３３を有する第２のパーツ３Ａ〜３Ｄとからなり、第１のパーツ１Ａ〜１Ｃを第２のパーツ３Ａにねじ止めした小中間組立体と、第１のパーツ１Ｈ、１Ｉ、１Ｌを第２のパーツ３Ｃにねじ止めした小中間組立体を、第２のパーツ３Ｂ、３Ｄで接続して中間組立体とし、２個の中間組立体を第２のパーツ３Ｂ、３Ｄで接続して正十二面体スピーカボックスとする。【選択図】図２
2011234328.tif 000002
【特許請求の範囲】
【請求項１】
正十二面体のスピーカボックスにおいて、
該スピーカボックスは１２個の正五角形の第１のパーツと、隣接する３個の第１のパーツをそれぞれ２か所でねじ止めして接続する８個の第２のパーツと、第１のパーツと第２のパーツに支持されるスピーカを押さえ固定する第３のパーツからなり、
第１のパーツが、板状体であり、スピーカを取り付ける１個のスピーカ取付用穴を中央に有するとともに、該スピーカ取付用穴の外側の円周上に１８０度離れて配置された少なくとも２個の第１のパーツ固定用ねじ貫通穴を有し、その第１のパーツ固定用ねじ貫通穴が第１のパーツの一つの頂点から対向する底辺に下ろした垂線上に設けられ、
第２のパーツが、隣接する３個の第１のパーツを１個の頂点で互いに接続する手段であり、金属板から作成された正三角形の底板と三角形の各辺に接して設けた３個の接続肢を有して構成され、各接続肢の外側にスピーカの周辺部を支持する湾曲部が形成され、前記湾曲部の内側の円周上に４個の第１のパーツの第１のパーツ固定用ねじ貫通穴に一致する位置に設けた４個の第１のパーツ固定用ねじ穴を有し、
第３のパーツが、第１のパーツのスピーカ取付用穴に支持されたスピーカを前面から押さえる部材であり、円形のフランジとスピーカを保護する桟とフランジの第１のパーツの第１のパーツ固定用ねじ貫通穴に一致する位置に設けた２個のスピーカ固定用ねじ貫通穴を有しており、
前記第１のパーツのそれぞれは５個の頂点のうち２個の頂点でそれぞれ隣接する２個の第１のパーツと第２のパーツの接続肢に設けた第１のパーツ固定用ねじ穴にねじ込まれたねじによって接続されることを特徴とする正十二面体のスピーカボックス。
【請求項２】
請求項１に記載の正十二面体のスピーカボックスにおいて、
前記第２のパーツの４個の固定用ねじ穴が反時計方向に配置され、２個の第１の固定用ねじ穴が９０度離れて配置されて第１の固定用の組を構成し、２個の固定用ねじ穴が９０度離れて配置されて第２の固定用の組を構成し、第１の固定用ねじ穴と第２の固定用ねじ穴はそれぞれ３６度離れて配置されたことを特徴とする正十二面体のスピーカボックス。
【請求項３】
請求項１または請求項２に記載の正十二面体のスピーカボックスにおいて、
第２のパーツの底面に支柱を固定する穴を設けるとともに、第１のパーツの頂点を切り欠いたことを特徴とする正十二面体のスピーカボックス。
【請求項４】
請求項２記載の正十二面体のスピーカボックスの組立方法であって、
前記スピーカボックスは、１２個の正五角形の第１のパーツと、隣接する３個の第１のパーツをそれぞれねじ止めして接続する８個の第２のパーツと、第１のパーツと第２のパーツに支持されるスピーカを押さえ固定する第３のパーツからなり、
第１のパーツの頂点に対向する第１のパーツ固定用ねじ貫通穴を介して３個のそれぞれの第１のパーツおよびスピ−カ並びに第３のパ−ツを１個の第２のパーツの各接続肢の第１のパーツ固定用ねじ穴にねじにより接続して小中間組立体とする第１の工程と、
複数個の小中間組立体を複数個の第２のパーツの２個の接続肢の第１のパーツ固定用ねじ穴にねじにより接続して中間組立体とする第２の工程と、
前記中間組立体の内部に電気部品を載置する第３の工程と、
複数個の中間組立体または複数個の中間組立体と小中間組立体を第３の工程で使用した第２のパーツの残りの接続肢を用いて相互に接続する第４の工程と、
を有することを特徴とする正十二面体のスピーカボックスの組立方法。
【発明の詳細な説明】
【技術分野】
【０００１】本発明は、正十二面体スピーカボックス並びに正十二面体スピーカボックスの組立方法に関する。
【背景技術】
【０００２】本出願人は、密閉された中空の正１２面体からなるスピーカボックスを用いたスピーカシステムを提案している（例えば、特許文献１参照）。このスピーカシステムは、中空の正十二面体の全ての内面または少なくとも１面を除く他の内面にスピーカを取り付けて構成される。【０００３】この正十二面体のスピーカボックスは、２個ないし３個に分割された複数のパーツを組み合わせて正１２面体に構成される。このパーツの各面には、スピーカ取付け用の穴が形成されるとともに、分割されたそれぞれのパーツの各面のスピーカ取付け用の穴にスピーカを密閉して取り付けるとともに、各パーツを組み合わせてスピーカボックスを組み立てている。このパーツは、携帯電話やｉ−Ｐｏｄなどに機能拡張部品として用いる小型のスピーカボックスである場合には、金型を用いて合成樹脂を射出成型して作成している。
【先行技術文献】
【特許文献】
【０００４】
【特許文献１】特開２００５−５１６９４号公報
【発明の概要】
【発明が解決しようとする課題】
【０００５】このパーツは、立体的な構造を有しているので、射出成型用の金型を試作形成するには、例えば光硬化樹脂を用いて構成することが行われている。この金型の作成には数十時間を要するとともに極めて高額になるという問題がある。また量産に当たっても、複雑な形状の金型は価格が非常に高くなるという問題があり、その形状が複雑であることから、射出成型されたパーツに不良品が出やすくなるという問題がある。【０００６】さらに、このようなパーツにスピーカなどの部品を取り付ける際には、相互に近接した狭い空間でスピーカを接続する作業をすることが必要となり、作業が複雑となって、製造が難しくなるという問題がある。
【課題を解決するための手段】
【０００７】本発明は、上記問題を解決することを課題の一つとするもので、正十二面体を構成するパーツの形状を単純化してパーツを成型する金型の製造を迅速かつ安価に行い、かつパーツの製造を容易にするとともに、スピーカボックスの組み立てを容易に行えるようにすることを目的とする。【０００８】上記課題を解決するために、本発明は正十二面体スピーカボックスを、１２個の単純な形状の正五角形の板（第１のパーツ）と、隣接する３個の第１のパーツを互いに接続固定する８個の接続部材（第２のパーツ）と、第１のパーツに固定される複数個のスピーカが前方飛び出さないように気密に固定する１２個のスピーカ固定部材（第３のパーツ）とから構成する。
【図面の簡単な説明】
【０００９】
【図１】図１は、本発明にかかる正十二面体スピーカボックス組立体の外観図である。
【図２】図２は、本発明にかかる正十二面体スピーカボックス組立体を構成する２分割された中間組立体の内側構造を説明する図である。
【図３】図３は、本発明にかかる正十二面体スピーカボックス組立体を構成する第１のパーツの平面面図である。
【図４】図４は、本発明にかかる正十二面体スピーカボックス組立体を構成する第２のパーツの形状を説明する図であり、（Ａ）は接続肢を折り曲げる前の平面図であり、（Ｂ）は接続肢を折り曲げた後の側面図である。
【図５】図５は、正十二面体スピーカボックスを構成する第１のパーツに第２のパーツを取り付けた状態を裏面から見た図である。
【図６】図６は、正十二面体スピーカボックスを構成する第３のパーツを第１のパーツと図示をしない第２のパーツに取り付けた状態を説明する正面図である。
【図７】図７は、３個の第１のパーツを用いてスピーカボックスを組み立てる方法を説明する平面図である。
【発明を実施するための形態】
【００１０】以下、図面を用いて本発明にかかる正十二面体スピーカボックスの構造および組立方法を説明する。図２に示す様に本発明は、スピーカボックスを構成する正十二面体を、１２個の第１のパーツ（正五角形板）１Ａ〜１Ｆ（１Ｇ〜１Ｌは裏面に配置される）と、第１のパーツ１を結合する８個の第２のパーツ３（ジョイント部材）と、複数個のスピーカ（図示を省略）と、１２個の第３のパーツ（スピーカ固定部材）（図示を省略）とから構成する。
【００１１】スピーカボックスを組み立てる場合は、スピーカボックス完成品の例えば半分を組み立てた中間組立体を２個組み合わせて完成品とする。図２は、６面の中間組立体の例であり、この構造は、他方の中間組立体も同一の形状とすることができ、この二つを接続して完成品とする。一方の中間組立体は、第１のパーツ１Ａ〜１Ｃが第２のパーツ３Ａにより接続される。第１のパーツ１Ｃ、１Ｉ、が第２のパーツ３Ｂにより接続される。第１のパーツ１Ｉ、１Ｈ、１Ｌが第２のパーツ３Ｃにより接続される。第１のパーツ１Ｈ、１Ｂが第２のパーツ３Ｄにより接続される。他方の中間組立体は、第１のパーツ１Ｅ、１Ｆが第２のパーツ３Ｅにより接続される。第１のパーツ１Ｄ、１Ｅ、１Ｊが第２のパーツ３Ｆにより接続される。第１のパーツ１Ｇ、１Ｋ、１Ｆが第２のパーツ３Ｇにより接続される。第１のパーツ１Ｊ、１Ｋが第２のパーツ３Ｈにより接続される。
【００１２】この２個の中間組立体を組み合わせるには、一方の第１のパーツ１Ｃ、１Ｉと他方の第１のパーツ１Ｄは第２のパーツ３Ｂにより接続される。一方の第１のパーツ１Ａと他方の第１のパーツ１Ｅ、１Ｆは第２のパーツ３Ｅにより接続される。一方の第１のパーツ１Ｈ、１Ｂと他方の第１のパーツ１Ｇは第２のパーツ３Ｄにより接続される。一方の第１のパーツ１Ｌと他方の第１のパーツ１Ｊ、１Ｋは第２のパーツ３Ｈにより接続される。
【００１３】図３に示すように、第１のパーツ１は、単純な正五角形の形状とされ、正五角形の中央にスピーカ取付用穴１３が設けられる。スピーカ取付用穴１３はスピーカがはめ込まれる大きさを有している。スピーカ取付用穴１３の外側に想定した円周上に４個のねじ貫通穴１５が設けられる。１個の第１のパーツ固定用ねじ貫通穴１５−１が正五角形の一つの頂点側に設けられ、１個の第１のパーツ固定用ねじ貫通穴１５−３は前記第１のパーツ固定用ねじ貫通穴１５−１に対向した底辺側の位置に設けられる。スピーカ固定用ねじ貫通穴１５−２、１５−４は、それぞれ第１のパーツ固定用ねじ貫通穴１５−１、１５−３と９０度ずつ隔てられて配置される。スピーカ取付用穴１３の外周で前記スピーカ７が横方向すなわち第１のパーツ１の面に平行な方向へ移動することを規制する。第１のパーツは、例えばアルミニウムの板を金型を用い打ち抜きにより作られる。このように第１のパーツは簡易な金型を用いて射出成型などに比較して安価に製造することができる。
【００１４】図４の（Ａ）に示すように、第２のパーツ３は、例えば金属板を打ち抜いて形成され、それぞれ１個の正三角形の底面３１と、３個の接続肢３３−１〜３３−３を有している。底面３１の中央には、図示を省略したスピーカボックスを支持する支柱などを固定するねじ穴３１１を設けている。ねじ穴３１１には、音響信号や電力を供給するためのジャック３７（図４の（Ｂ））を設けることができる。この場合、第１のパーツ１の頂点を切り欠くことにより、支柱や電源コードを取り付けることができる。３個の接続肢３３は、それぞれスピーカ７を支持する湾曲部３３１と、第１のパーツ１のねじ貫通穴１５と一致する位置に固定用ねじ穴３５−Ｘ−１〜３５−Ｘ−４（Ｘは３個の接続肢のそれぞれを示す）が設けられている。接続肢を折り曲げた後の第２のパーツを横から見た図である図４の（Ｂ）に示されるように、接続肢３３は、組立時に内側になるように折り曲げられている。この折り曲げ角度は、組み立てた正十二面体の各正五角形板１１の裏面が接続肢３３に密着して３個の正十二面体の頂点が正確に一つに維持される角度とされる。
【００１５】第１のパーツ１のねじ貫通穴１５と第２のパーツ３の接続肢３３の固定用ねじ穴３５との位置関係を、図５を用いて説明する。図５は、第１のパーツ１を裏面から見た図である。
上方の接続肢３３のねじ固定用穴３５は、第１のパーツ１の固定用ねじ貫通穴１５−１、１５−２に、固定用ねじ穴３５−２、３５−４が位置し、下方の接続肢３３は、他の第１のパーツ１の固定用ねじ貫通穴１５−３、１５−４に、固定用ねじ穴３５−２、３５−４が位置するように設けられている。
【００１６】図５に示すように、第１のパーツ１の裏面に２個の第２のパーツ３の接続肢３３を取り付ける。第１のパーツ１のねじ貫通穴１５−１に対向して第２のパーツ３の接続肢３３の固定用ねじ穴３５−２が位置し、ねじ貫通穴１５−４に対向して第２のパーツ３の接続肢３３の固定用ねじ穴３５−４が位置する。一方第１のパーツ１のねじ貫通穴１５−３に対向して他の第２のパーツ３の接続肢３３の固定用ねじ穴３５−１が位置し、ねじ貫通穴１５−４に対向して第２のパーツ３の接続肢３３の固定用ねじ穴３５−３が位置する。すなわち第２のパーツ３の接続肢３３は、第１のパーツのねじ貫通用穴１５−１、１５−２に対応する固定用ねじ穴３５−２、３５−４と、第１のパーツのねじ貫通用穴１５−３、１５−４に対応する固定用ねじ穴３５−１、３５−３を有している。固定用ねじ穴３５−２、３５−４と、固定用ねじ穴３５−１、３５−３はそれぞれ互いに３６度離れている。第１のパーツ１の固定用ねじ貫通穴１５−１、１５−２に上方の第２のパーツの接続肢３３のねじ穴３５−２、３５−４が位置し、第１のパーツ１の固定用ねじ貫通穴１５−３、１５−４に下方の接続肢３３の固定用ねじ穴３５−２、３５−４が位置する。
【００１７】第２のパーツ３の接続肢３３の長さは、同一の第１のパーツ上で隣接配置される他の第２のパーツの接続肢３３と接しない長さであることが必要である。すなわち第２のパーツの固定用のねじ穴３５の中心が配置１７される長さは、第１のパーツのねじ貫通穴１５が配置される円周上で１２６（９０＋３６）度の長さである。
【００１８】図６を用いてスピーカを固定する第３のパーツ５の構造を説明する。スピーカを固定する第３のパーツ５は、例えばアルミニウムの板を金型を用い打ち抜きにより作られる。第３のパーツ５は、第１のパーツ１のスピーカ取付用穴１３のな直径より小さな内径と第１のパーツ１の外にはみ出さない外径のフランジ５１を有し、フランジ５１の内側に横桟５５を設けている。さらに、フランジ５１には、第１のパーツ１のねじ貫通穴１５−１〜１５−４に対応して設けた４個のねじ貫通穴５５−１〜５５−４を設けている。第３のパーツ５と、第１のパーツ１と、第２のパーツ３とは、スピーカ７を挟んでねじ５７によって固定される。これにより、スピーカ７は、第１のパーツ１のスピーカ取付用穴１３内に第２のパーツ３と第３のパーツ５に挟まれて気密に支持固定される。
【００１９】これらのパーツを用いてスピーカボックスを組み立てる方法の一例を、図７を用いて説明する。図７は１個の第２のパーツ３Ａを用いて３個の第１のパーツ１Ａ〜１Ｃを接続する例を示すもので、第１パーツ１の下に隠れた第２のパーツ３Ａは３個の接続肢３３−１、３３−２、３３−３を底面３１と同一面に展開して示している。第１のパーツ１Ａは第１のパーツ１の形状を示すとともに、固定用ねじ貫通穴１５Ａ１に対向した一つの頂点が他の２個の第１のパーツ１Ｂ、１Ｃの頂点に接して配置される３個の第１のパーツ相互の位置関係を示しており、第１のパーツ１Ａは第２のパーツ３Ａの１番目の接続肢３３Ａ−２の上方に固定される。第１のパーツ１Ｂは第２のパーツ３Ａの２番目の接続肢３３Ａ−２の上方に配置した状態を示すものである。第１のパーツ１Ｃは第２のパーツ３Ａの第３の接続肢３３Ａ−３を配置されさらにその上に第３のパーツ５Ｃを配置した後、表面からねじ５７により第１のパーツ１Ｃ、第２のパーツ３、スピーカ７Ｃ、第３のパーツ５を固定した状態を示すものである。
【００２０】まず、１枚目の第１のパーツ１Ａの裏面に第２のパーツ３Ａの接続肢３３Ａ−１を当て、スピーカ取付用穴１３Ａ内にスピーカ７Ａを、その上に第３のパーツ５Ａを位置させ、それぞれのねじ貫通穴５５Ａ−１、１５Ａ−２を第２のパーツ３Ａの固定用ねじ穴３５Ａ−１−１にねじ５７で固定する。同様に第１のパーツ固定用ねじ貫通穴１５Ａ−２と、第１の接続肢３３Ａ−１の固定用ねじ穴３５Ａ−１−２を一致させ表面側から第３のパーツ５Ａのねじ貫通穴５５Ａ−４ねじ５７で固定する。第１パーツ１Ｂの裏面に第２のパーツ３Ｂの接続肢３３Ａ−２を当て、スピーカ取付用穴１３Ｂ、スピーカ７Ｂを、その上に第３のパーツ５Ｂを位置させ、それぞれのねじ貫通穴５５Ｂ−１、１５Ｂ−２を第２のパーツ３Ａの固定用ねじ穴３５Ａ−２−１にねじ５７で固定する。同様に第１のパーツ固定用ねじ貫通穴１５Ｂ−２と、第１の接続肢３３Ａ−２の固定用ねじ穴３５Ａ−２−２を一致させ表面側から第３のパーツ５Ｂのねじ貫通穴５５Ｂ−４にねじ５７で固定する。第１のパーツ１Ｃ、スピーカ７Ｃ、第３のパーツ５Ｃも同様に第２のパーツ３Ａの接続肢３３Ａ−３に固定される。このように、第１のパーツ１Ａ〜１Ｃの頂点が一つにまどめられ、一方の小中間組立体を構成する。同様に、第１のパーツ１Ｈ、１Ｉ、１Ｌは、スピーカ７Ｈ、７Ｉ、７Ｌと第３のパーツ５Ｈ、５Ｉ、５Ｌを取り付けるとともに第２のパーツ３Ｃで頂点がまとめられ、他方の小中間組立体を構成する。
【００２１】一方の小中間組立体と他方の小中間組立体は、第１のパーツ３Ｃのねじ貫通穴１５Ｃ−３、１５Ｃ−４が第２のパーツ３Ｂの接続肢３Ｂ−３３のねじ穴３５Ｂ−１、１５Ｃ−３に、第１のパーツ３Ｉのねじ貫通穴１５Ｉ−３、１５Ｉ−４が第２のパーツ３Ｂの接続肢３Ｂ−３３のねじ穴３５Ｂ−１、１５Ｃ−３に固定され両者の小中間組立体を接続するとともに、第１のパーツ１Ｂと１Ｈは、第２のパーツ３Ｄにより固定され両者の小中間組立体を接続して一方の中間組立体を構成する。
【００２２】この中間組立体の内部に増幅器や整合器や充電式電池からなる電源などの電気部品を配置接続し、同様に作成した中間組立体を、第２のパーツ３Ｃ、３Ｄ、３Ｅ、３Ｈを用いて接続して正十二面体スピーカボックスを完成させる。
【００２３】このスピーカボックスは、下面に配置されたスピーカを信号により直接駆動しないパッシブスピーカとすることができる。このことにより低音を強調することができる。
【００２４】以上のように、本発明によれば、少ない種類の単純な形状の部品を用いて正十二面体のスピーカボックスを構成することができるので、部品製造の金型をきわめて単純にすることができ、正十二面体の金型の製造時間とコストを引き下げることができる。さらに、本発明によれば、正十二面体スピーカボックスの製造にあたり、中間組立体が上部を解放た器の形状をしているので、内部に電気部品などを配置接続する作業がやりやすく、作業効率を上げることができる。
【符号の説明】
【００２５】１：第１のパーツ（箱体壁）、１１：正五角形板、１３：スピーカ取付用穴、１５：ねじ貫通穴、３：第２のパーツ（ジョイント部材）、３１：底面、３１１：穴、３３：接続肢、３５：固定用ねじ穴、５：第３のパーツ（スピーカ固定部材）、５３：ねじ貫通穴、５７：ねじ、７：スピーカ
【図１】
2011234328.tif 000003
【図２】
2011234328.tif 000004
【図３】
2011234328.tif 000005
【図４】
2011234328.tif 000006
【図５】
2011234328.tif 000007
【図６】
2011234328.tif 000008
【図７】
2011234328.tif 000009